(57)【特許請求の範囲】
【請求項１】
少なくとも２段階の調整位置を有する調整部材と、該調整部材を所定の前記調整位置にて保持する保持部材とを備え、前記保持部材により長さ調整可能とした前記調整部材によってボトムレールを支持する横型ブラインドのボトムレール下限位置調整装置であって、
前記調整部材は、複数の球形部材を綴って形成されるボールチェーンとし、前記保持部材は、前記球形部材に係合可能とした固定部材とし、ラダーコードの縦糸に前記固定部材を設け、前記ボールチェーンの球形部材に前記固定部材を係合させて該ボールチェーンにループを形成し、前記ボトムレールに、前記ボールチェーンのループを挿入可能とする挿入孔を形成すると共に前記ボールチェーンのループによって支持されるコロを回転可能に設け、
前記ボールチェーンのループの長さを調整することによって前記ボトムレールの下限位置を調整可能としたことを特徴とする横型ブラインドのボトムレール下限位置調整装置。
【請求項２】
少なくとも２段階の調整位置を有する調整部材と、該調整部材を所定の前記調整位置にて保持する保持部材とを備え、前記保持部材により長さ調整可能とした前記調整部材によってボトムレールを支持する横型ブラインドのボトムレール下限位置調整装置であって、
前記調整部材は、前記調整位置に係合孔を有するラダーテープとし、前記保持部材は、前記係合孔に係合可能とした係止アームとし、前記ボトムレールに嵌着可能としたテープホルダーに前記係止アームを回動可能に設け、
前記係止アームと係合孔との係合位置によって前記ラダーテープの長さを調整することにより前記ボトムレールの下限位置を調整可能としたことを特徴とする横型ブラインドのボトムレール下限位置調整装置。
【発明の詳細な説明】
【０００１】
【発明の属する技術分野】
この発明は、横型ブラインドのボトムレールの下限位置を調整する調整装置に関するものである。
【０００２】
【従来の技術】
横型ブラインドでは、ボトムレールが最下限まで下降したときには、該ボトムレールはラダーコードに吊下支持される状態となる。従って、ボトムレールの下限位置はラダーコードの長さによって決定されるため、前記ボトムレールの下限位置を調整する必要が生じた場合には、ラダーコードの長さを調整する必要がある。
【０００３】
従来、ボトムレールの下限位置調整装置として、ラダーコードの下端部を巻取り可能とした巻取り軸を、ボトムレールに支持することにより、ボトムレールの下限位置を調整可能とした装置が提案されている。
【０００４】
また、他の構成として、ラダーコードの下端部を巻取り可能とした巻取りドラムをテープホルダーに支持し、該テープホルダーをボトムレールの下方より嵌合してボトムレールの下限位置を調整可能とした装置が提案されている。
【０００５】
上記のように構成されたボトムレールの下限位置調整装置では、前記巻取り軸あるいは巻取りドラムにラダーコードの下端部を巻取りあるいは巻き戻して該ラダーコードの長さを調整することでボトムレールの下限位置を調整可能となっている。
【０００６】
【発明が解決しようとする課題】
ところが、上記のように構成された調整装置では、ラダーコード端部を巻取りあるいは巻き戻すための巻取り軸あるいは巻取りドラムの回転操作には、ドライバー等の工具を必要とするため、その調整作業が煩雑なものとなっていた。
【０００７】
また、ラダーテープ仕様の横型ブラインドの場合、巻取り軸あるいは巻取りドラムにラダーテープを巻取るのは困難であり、ラダーテープ仕様の横型ブラインドには適用し難い構成であった。
【０００８】
この発明の目的は、ボトムレールの下限位置を容易に調整し得る調整装置を提供することにある。
【０００９】
【課題を解決するための手段】
請求項１では、少なくとも２段階の調整位置を有する調整部材と、該調整部材を所定の前記調整位置にて保持する保持部材とを備え、前記保持部材により長さ調整可能とした前記調整部材によってボトムレールを支持する横型ブラインドのボトムレール下限位置調整装置であって、前記調整部材は、複数の球形部材を綴って形成されるボールチェーンとし、前記保持部材は、前記球形部材に係合可能とした固定部材とし、ラダーコードの縦糸に前記固定部材を設け、前記ボールチェーンの球形部材に前記固定部材を係合させて該ボールチェーンにループを形成し、前記ボトムレールに、前記ボールチェーンのループを挿入可能とする挿入孔を形成すると共に前記ボールチェーンのループによって支持されるコロを回転可能に設け、前記ボールチェーンのループの長さを調整することによって前記ボトムレールの下限位置を調整可能とした。
【００１１】
請求項２では、少なくとも２段階の調整位置を有する調整部材と、該調整部材を所定の前記調整位置にて保持する保持部材とを備え、前記保持部材により長さ調整可能とした前記調整部材によってボトムレールを支持する横型ブラインドのボトムレール下限位置調整装置であって、前記調整部材は、前記調整位置に係合孔を有するラダーテープとし、前記保持部材は、前記係合孔に係合可能とした係止アームとし、前記ボトムレールに嵌着可能としたテープホルダーに前記係止アームを回動可能に設け、前記係止アームと係合孔との係合位置によって前記ラダーテープの長さを調整することにより前記ボトムレールの下限位置を調整可能とした。
【００１２】
【発明の実施の形態】
（第一の実施の形態）
図１及び図２は、第一の実施の形態を示す。
【００１３】
横型ブラインドのヘッドボックス（図示しない）には、その長手方向複数箇所において、ラダーコード１ａ及び昇降コード２が吊下支持され、前記ラダーコード１ａの縦糸３の間には、複数本の横糸４が接続される。前記横糸４にはそれぞれスラット５が支持され、前記昇降コード２は前記スラット５に挿通され、その下端部がボトムレール６に取着される。
【００１４】
図１に示すように、前記ラダーコード１ａの一方の縦糸３には、樹脂にて形成されるボール７ａによってボールチェーン８の端部が接続される。また、他方の縦糸３には前記ボール７ａが取着され、該ボール７ａには金属にて形成される固定部材９が着脱可能に取着される。
【００１５】
前記固定部材９には係合凹部１０が形成され、該係合凹部１０の上下両端部は徐々に幅挟となるように形成されて、前記ボール７ａあるいはボール７ｂを係合可能となっている。
【００１６】
前記ボール７ｂは樹脂にて形成され、前記ボールチェーン８には前記ボール７ｂが等間隔に複数設けられている。従って、前記ボールチェーン８に設けられた前記ボール７ｂのいずれか一つを前記係合凹部１０に係合することによって、前記ボールチェーン８にはループが形成される。
【００１７】
前記ボトムレール６は、アルミ押し出し形材で形成され、その長手方向複数箇所において、テープホルダー１１が嵌合される。
前記テープホルダー１１の取付位置において、前記ボトムレール６の上面には、前記ボールチェーン８のループを挿入可能とした挿入孔１２が形成され、前記ボトムレール６の下面には、取付孔１３が形成される。
【００１８】
そして、前記取付孔１３から軸受け部１４を挿入し、該軸受け部１４を前記ボトムレール６の上面に取着可能となっている。
図２に示すように、前記軸受け部１４は、Ｕ字状を成す溝形に形成され、該軸受け部１４の上端部は直角に折り曲げられて取付部１５が形成される。この取付部１５には、前記軸受け部１４を前記ボトムレール６の上面に螺着可能としたネジ穴１６が形成される。そして、皿ネジ１７が前記ボトムレール６の上面より、前記ネジ穴１６に螺入される。
【００１９】
また、前記軸受け部１４には、軸部１８が回転可能に支持され、該軸部１８の中心部にはコロ１９が形成される。前記コロ１９には、図１に示すように、断面波型のカム２０が前記コロ１９の周方向に沿って等間隔に形成される。
【００２０】
そして、前記コロ１９と前記ボールチェーン８のループとは、前記カム２０と前記ボールチェーン８のボール７ｂとによって係合されている。従って、前記ボトムレール６は、前記コロ１９を支持する前記ボールチェーン８のループによって吊下支持される状態となる。
【００２１】
次に、上記のように構成された横型ブラインドのボトムレール下限位置調整装置の作用について説明する。
さて、ボールチェーン８によって支持されているボトムレール６の下限位置を上方へと調整するには、固定部材９に係合しているボール７ｂを外して、ボールチェーン８の端部を上方へと引き上げる。
【００２２】
次いで、所望の位置にて固定部材９にボール７ｂを係合して、ボールチェーン８を再びループさせる。すなわち、ボールチェーン８のループを短くすることによって、ボトムレール６の下限位置を上方へ調整する。
【００２３】
このとき、ボトムレール６は、ボールチェーン８を上方へと引き上げた距離の半分の距離だけ上昇する。
また、ボールチェーン８の端部を引き上げたとき、ボールチェーン８と係合しているコロ１９は、カム動作によって回転するため、ボールチェーン８のループ中央部には、常にコロ１９が位置する。従って、ボトムレール６は、前後方向に傾くことなく水平に維持された状態で上昇する。
【００２４】
一方、ボトムレール６の下限位置を下方へと調整するには、固定部材９と係合しているボール７ｂを外して、ボールチェーン８の端部を下方へと引き下げる。次いで、所望の位置にて固定部材９にボール７ｂを係合し、ボールチェーン８のループを長くすることによって、ボトムレール６の下限位置を下方へ調整する。そして、固定部材９にボールチェーン８の端部に設けられたボール７ｂを係合したとき、ボールチェーン８のループは最も長くなり、ボトムレール６の吊下位置は最下限位置となる。
【００２５】
従って、上記のように構成された横型ブラインドのボトムレール下限位置調整装置では、以下に示す作用効果を得ることができる。
（１）ボトムレール６の下限位置の調整時に、ドライバー等の工具を必要としないため、調整作業を容易に行うことができる。
【００２６】
（２）ボトムレール６を持ち上げながら、固定部材９に係合しているボール７ｂを他のボール７ｂに変更するだけで、ボトムレール６の下限位置の調整を容易に行うことができる。
【００２７】
（３）固定部材９に係合しているボール７ｂを外して、ボールチェーン８の一端を引き上げ、あるいは引き下げることによって、ボトムレール６の下限位置を上昇、あるいは下降させ、所望の高さにおいてボール７ｂを係合させることで、調整作業を速やかに行うことができる。
【００２８】
（４）ボトムレール６の高さ位置は、固定部材９に係合しているボール７ｂの位置によって把握することができるため、複数箇所において調整を行うときは、前記ボール７ｂの位置を合わせることによって、ボトムレール６を水平方向に維持することができる。
【００２９】
（５）コロ１９は回転可能に支持されているため、コロ１９は、常にボールチェーン８のループ中央部に維持される。従って、ボトムレール６の下限位置の調整後も、ボトムレール６の前後の傾きを防止することができる。
【００３０】
（６）ボールチェーン８のボール７ｂは、固定部材９の係合凹部１０に保持されるため、ボトムレール６の自重降下が防止されて、ボトムレール６の高さ位置は確実に維持される。
（第二の実施の形態）
図３及び図４は、第二の実施の形態を示す。この実施の形態において、前記第一の実施の形態と同様な構成部分には同一符号を付して示す。
【００３１】
横型ブラインドのヘッドボックス（図示しない）から吊下支持されるラダーテープ１ｂの間には、複数本の横糸４が接続され、この各横糸４には、スラット５が支持される。そして、図３に示すように、昇降コード２は前記スラット５に挿通され、その下端部がボトムレール２１に接続される。また、図４に示すように、前記ラダーテープ１ｂには、その長手方向に沿って係合孔２２が等間隔に形成されている。
【００３２】
前記ボトムレール２１には、その長手方向複数箇所において、テープホルダー２３が嵌着され、前記ラダーテープ１ｂの下端部は、前記テープホルダー２３に接続される。前記テープホルダー２３は、前記ボトムレール２１の下面及び側面に沿って屈曲され、前記ボトムレール２１を、その上面を除いて覆うように嵌着される。
【００３３】
そして、前記テープホルダー２３の前後には、前記ラダーテープ１ｂの下端部を保持する保持部２４が形成される。前記保持部２４の上端部は、前記ボトムレール２１の上面に沿って内側に僅かに湾曲されるとともに外側に湾曲されて、軸２５を挿入可能となっている。また、前記保持部２４の上端部は、その中央部及び両端部が切り欠かれている。
【００３４】
前記軸２５の中央部には、前記ラダーテープ１ｂの係合孔２２に係合可能とした係止アーム２６の基端部が挟着固定され、該係止アーム２６は、前記軸２５と共に回動される。また、前記軸２５の両端部には、逆Ｕ字状の受け部２７が前記軸２５に対し回転可能に設けられる。従って、この受け部２７は前記軸２５と共回りすることはない。
【００３５】
そして、前記保持部２４には、一対から成るＬ字状の保持片２８が対向して突出形成され、該保持片２８によって、前記ラダーテープ１ｂの下端部は前記テープホルダー２３に保持される。
【００３６】
このように構成された横型ブラインドのボトムレール下限位置調整装置では、ボトムレール２１の下限位置を上方へと調整するには、ボトムレール２１を持ち上げ、係止アーム２６を回動させるとともに係合孔２２から外して、該係合孔２２より上方に位置する係合孔２２に係止アーム２６を係合させる。
【００３７】
そして、テープホルダー２３の前後の保持部２４において、係止アーム２６をラダーテープ１ｂの同位置の係合孔２２に係合させる。
次いで、ボトムレール２１を支持している手を放すと、ボトムレール２１の自重によって係止アーム２６が回動して受け部２７に支持される。従って、ラダーテープ１ｂは係止アーム２６によって確実に保持されて、ボトムレール２１は、水平状態を維持したまま上方へと調整される。
【００３８】
一方、ボトムレール２１の下限位置を下方へと調整するには、テープホルダー２３の前後の保持部２４において、係止アーム２６が係合されている係合孔２２より下方に位置する係合孔２２に係止アーム２６を係合させることにより、調整を行う。
【００３９】
そして、ラダーテープ１ｂの最下に位置する係合孔２２に係止アーム２６を係合させたとき、ボトムレール２１の吊下位置は最下限位置となる。
従って、上記のように構成された横型ブラインドのボトムレール下限位置調整装置では、以下に示す作用効果を得ることができる。
【００４０】
（１）ボトムレール２１の下限位置の調整時に、ドライバー等の工具を必要としないため、調整作業を容易に行うことができる。
（２）ボトムレール２１を持ち上げながら、係止アーム２６を所望の位置の係合孔２２に係合させるだけで、ボトムレール２１の下限位置の調整を容易に行うことができる。
【００４１】
（３）係合孔２２に係合している係止アーム２６を外して、ボトムレール２１の下限位置を上昇、あるいは下降させ、所望の高さにおいて係止アーム２６を係合孔２２に係合させることで、調整作業を速やかに行うことができる。
【００４２】
（４）ボトムレール２１の高さ位置は、係止アーム２６が係合している係合孔２２の位置によって把握することができるため、複数箇所において調整を行った後に、ボトムレール２１を水平方向に維持させることができる。
【００４３】
（５）テープホルダー２３の前後の保持部２４において、係止アーム２６と係合孔２２との係合位置を同じにすることで、ボトムレール２１の前後の傾きを防止することができる。
【００４４】
（６）係合孔２２に係合させた係止アーム２６は、ボトムレール２１の自重により受け部２７に支持されるため、係合孔２２から係止アーム２６が抜けることはなく、ボトムレール２１の高さ位置を確実に維持できる。
【００４５】
なお、上記各実施の形態は、次に示すように変更してもよい。
・第一の実施の形態において、ボールチェーン８のボール７ｂの間隔を変更することにより、ボトムレール６の下限位置の調整ピッチを変更してもよい。
・第一の実施の形態において、コロ１９を円形状コロとして構成し、ボール７ｂはボールチェーン８の両端に複数個設けるのみとしてもよい。
・第一の実施の形態において、軸受け部１４はテープホルダー１１の上面に一体に形成してもよい。
・第二の実施の形態において、ラダーテープ１ｂの係合孔２２の間隔を変更することにより、ボトムレール２１の下限位置の調整ピッチを変更してもよい。
・第二の実施の形態において、最下段の横糸４を切断することにより、ボトムレール２１の下限位置の調整範囲を大きくしてもよい。
【００４６】
次に、前記各実施の形態から把握できる請求項に記載した発明以外の技術的思想について記載する。
（１）ラダーコードの縦糸に固定部材を設け、該固定部材には、樹脂にて成る複数のボールを有するボールチェーンを接続してループを形成し、ボトムレールには、前記ボールチェーンによって支持されるコロを回転可能に設け、前記ボールチェーンのループの長さを調整することによって前記ボトムレールの下限位置を調整可能としたことを特徴とする横型ブラインドのボトムレール下限位置調整装置。
【００４７】
（２）ラダーテープの長手方向に沿って複数の係合孔を設け、ボトムレールに嵌着可能としたテープホルダーには係止アームを回動可能に設け、該係止アームと前記係合孔との係合位置によって前記ラダーテープの長さを調整することにより前記ボトムレールの下限位置を調整可能としたことを特徴とする横型ブラインドのボトムレール下限位置調整装置。
【００４８】
【発明の効果】
以上詳述したように、この発明は、ボトムレールの下限位置を容易に調整し得る調整装置を提供することができる。
【図面の簡単な説明】
【図１】第一の実施の形態を示す断面図である。
【図２】第一の実施の形態を示す断面図である。
【図３】第二の実施の形態を示す断面図である。
【図４】第二の実施の形態を示す正面図である。
【符号の説明】
６      ボトムレール
８      調整部材（ボールチェーン）
９      保持部材（固定部材）
【図１】
0003561215.tif 000002
【図２】
0003561215.tif 000003
【図３】
0003561215.tif 000004
【図４】
0003561215.tif 000005